(57)【要約】【課題】  軽い力でペタルを押し込むことができ、便器に十分な水を送水することが可能で、また便器に腰を下ろした状態で便器への送水ができたり、足の力をより多くリンク部材に伝え確実に送水を行うことができる仮設トイレの給水ポンプのポンプ補助装置を提供することにある。【解決手段】  ペタルの側方に起立する支柱と、一端が支柱に揺動自在に横設されたリンク部材と、リンク部材に釣支されると共に底面をペタルの上面と当接可能に設けられた押さえ部材とを備え、リンク部材の他端を下方向に揺動させることにより、押さえ部材がペタルの上面に当接してペタルを押し下げ、ポンプ本体内部に蓄えられた水を便器に送水することを特徴とする。【選択図】図２
2006009385.tif 000002
【特許請求の範囲】
【請求項１】
ポンプ本体の外部上方向に付勢されたペタルを備え、該ペダルを該ポンプ本体の内部方向に踏み込むことにより、該ポンプ本体内部に蓄えられた水を便器に送水する仮設トイレの給水ポンプのポンプ補助装置において、
該ペタルの側方に起立する支柱と、
一端が該支柱に揺動自在に横設されたリンク部材と、
該リンク部材に釣支されると共に底面を該ペタルの上面と当接可能に設けられた押さえ部材とを備え、
該リンク部材の他端を下方向に揺動させることにより、該押さえ部材が該ペタルの上面に当接して該ペタルを押し下げ、該ポンプ本体内部に蓄えられた水を便器に送水することを特徴とする仮設トイレの給水ポンプのポンプ補助装置。
【請求項２】
前記リンク部材の他端に操作レバーを備え、該操作レバーが用便状態で操作可能な高さに伸びることを特徴とする請求項１記載の仮設トイレの給水ポンプのポンプ補助装置。
【請求項３】
前記リンク部材の他端に、足裏を載置可能な足踏部を備えることを特徴とする請求項１記載の仮設トイレの給水ポンプのポンプ補助装置。
【発明の詳細な説明】
【技術分野】
【０００１】
本発明は、足踏式等の仮設トイレの給水ポンプのポンプ補助装置。
【背景技術】
【０００２】
従来より、建築物の新築現場や改築現場、イベント会場等に設けられる仮設トイレでは、便器を洗浄するための給水ポンプとして足踏式の給水ポンプが用いられてきた。この仮設トイレの給水ポンプは、仮設トイレの床面に設けられ、ペタルを強く踏み込むことによりタンクに貯めてある水を便器に送るものである。
【０００３】
具体的には、ポンプケース内に、上部開口から内底に届くゴム製の蛇腹と、蛇腹の内側に上部開口から内底に届くスプリングとを備え、蛇腹の上部開口を封止するペタルが、スプリングによって上方向に付勢されている。また、蛇腹下部には、蛇腹内部と便器及び水のタンクとを連通させる弁ケースが設けられている。弁ケースには、蛇腹内に水が入るときだけ開く給水弁を備えた給水口が設けられ、給水口はホースで水のタンクに接続されている。また、弁ケースには、蛇腹内の水を吐き出すときだけ開く吐出弁を備えた吐出口も設けられており、吐出口はホースで便器に接続されている。
【０００４】
そして、ペタルを踏み込むことにより、蛇腹内に蓄えられた水が吐出弁を介して便器方向に押し出される。また、ペタルから足を離すとスプリングによりペタルが上昇すると共に、蛇腹が伸長して蛇腹内の圧力が下がり蛇腹内に水が入って蓄えられる。
尚、この先行技術は、文献公知に係るものでないため、記載すべき先行技術文献情報はない。
【発明の開示】
【発明が解決しようとする課題】
【０００５】
しかしながら、従来の足踏式の仮設トイレの給水ポンプでは、ペタルがスプリングにより付勢されていることに加え、送水時にペタルで蛇腹内の水を押し出す必要があることから、強い力でペタルを踏み込まないと送水されない。このため、便器に腰を下ろした状態や、体重の軽い子供や強く踏み込むことが出来ない老人では十分に送水できず、汚物が便器内に残ってしまい便器の衛生状態を確保することが困難であった。
【０００６】
本発明は、このような事情に鑑みてなされたもので、軽い力でペタルを押し込むことができ、便器に十分な水を送水することが可能で、また便器に腰を下ろした状態で便器への送水ができたり、足の力をより多くリンク部材に伝え確実に送水を行うことができる仮設トイレの給水ポンプのポンプ補助装置を提供することにある。
【課題を解決するための手段】
【０００７】
請求項１記載の仮設トイレの給水ポンプのポンプ補助装置は、ペタルの側方に起立する支柱と、一端が支柱に揺動自在に横設されたリンク部材と、リンク部材に釣支されると共に底面をペタルの上面と当接可能に設けられた押さえ部材とを備え、リンク部材の他端を下方向に揺動させることにより、押さえ部材がペタルの上面に当接してペタルを押し下げ、ポンプ本体内部に蓄えられた水を便器に送水することを特徴とする。
【０００８】
請求項２記載の仮設トイレの給水ポンプのポンプ補助装置は、リンク部材の他端に操作レバーを備え、該操作レバーが用便状態で操作可能な高さに伸びることを特徴とする。
【０００９】
請求項３記載の仮設トイレの給水ポンプのポンプ補助装置は、リンク部材の他端に、足裏を載置可能な足踏部を備えることを特徴とする。
【発明の効果】
【００１０】
請求項１の発明によれば、リンク部材が、揺動自在に横設されると共にリンク部材に釣支された押さえ部材がペタルの上面に当接することによりテコになっていることから、軽い力でペタルを押し込むことができ、便器に十分な水を送水することが可能である。
【００１１】
請求項２の発明によれば、操作レバーが用便状態で操作可能な高さに伸びることから、便器に腰を下ろした状態で便器への送水が可能である。
【００１２】
請求項３の発明によれば、リンク部材の他端に、足裏を載置可能な足踏部を備えることから、足の力をより多くリンク部材に伝え確実に送水を行うことができる。
【発明を実施するための最良の形態】
【００１３】
以下、本発明の形態について図面を参照しながら具体的に説明する。本発明の形態における仮設トイレの給水ポンプのポンプ補助装置は、足踏式の仮設トイレの給水ポンプの操作を補助するための装置である。具体的には、従来、給水ポンプのペタルを操作者が直接踏み込むことにより便器への送水を行っていたところを、ポンプ補助装置を介してペタルを操作することになる。
【実施例１】
【００１４】
図１は、本発明の第１の実施例のポンプ補助装置の使用例を示す説明図である。図２は同ポンプ補助装置を示す右側面図、図３は同ポンプ補助装置を示す平面図、図４は同ポンプ補助装置を示す正面である。図５及び図６は、同ポンプ補助装置の動作を示す説明図である。
【００１５】
図において、仮設トイレ１は、建築物の新築現場や改築現場、イベント会場等に設けられる移設可能なトイレで、便器２を洗浄するための給水ポンプとして足踏式の給水ポンプ３が用いられている。給水ポンプ３は、床面４からポンプ本体３０が突出するように設けられ、ポンプ本体３０がポンプケース７で覆われている。ポンプ補助装置５は、ポンプ本体３０の上に置かれ、ポンプ本体３０にねじ止めされている。
【００１６】
給水ポンプ３は、コップ形状のポンプケース７内に、上部開口から内底に届くゴム製の蛇腹３５と、蛇腹３５の内側に上部開口から内底に届くスプリング３６とを備えている。ポンプケース７の底面には、円筒状の弁ケース３７が下向きに突出しており、蛇腹３５の内部と連通する給水口３３と吐出口３４とが水平に突出して設けられている。給水口３３の内側には、弁ケース３７を介して蛇腹３５内に水が入る場合に開放され、蛇腹３５内から水が出る場合には閉鎖される給水弁３８が設けられている。また、吐出口３４の内側には、弁ケース３７を介して蛇腹３５内に水が入る場合に閉鎖され、蛇腹３５内から水が出る場合には開放される吐出弁３９が設けられている。
【００１７】
ポンプケース７の上部開口は、中央に円形の穴３１ａが穿設されたカバー３１で塞がれている。カバー３１の穴３１ａには、円柱状で上下に係止部３２ａ，３２ｂを備えるペタル３２が、上下動自在に遊嵌して設けられている。ペタル３２の下方の係止部３２ｂは、下向きの椀状になっており、蛇腹３５の上部開口を密封すると共に、蛇腹３５内のスプリング３６が密接している。スプリング３６が係止部３２ｂを押し上げることで、ペタル３２が、ポンプ本体３０の外部上方向に付勢された状態になっている。尚、ペタル３２は、上下動に際し、係止部３２ａ，３２ｂがカバー３１の上面又は下面に当接することにより、カバー３１から脱離しない。
【００１８】
次に、ポンプ補助装置５の構造を説明する。まず、ポンプ補助装置５は、略正方形で中央に穴１１ｂが穿設された基台１１を有している。基台１１の穴１１ｂは、給水ポンプ３のペタル３２が接することなく貫通できる径である。また、基台１１の四隅にはねじ穴１１ａが穿設されている。さらに、基台１１の正面視奥側には、門状の支柱１２が設けられている。支柱１２には、左右に貫通する回転軸１６が設けられ、丸棒１５ａからなるリンク部材１５が、この回転軸１６によって揺動自在に支柱１２に支持された状態で横設されている。具体的には、丸棒１５ａの一端にコ字状で支柱１２よりも幅狭の支持部１５ｂが設けられ、支柱１２の側板１２ａと支持部１５ｂの側板１５ｂａとが接した状態で、その接した部分に回転軸１６が貫通している。尚、回転軸１６の高さは、給水ポンプ３のペタル３２がカバー３１よりも上方に突出する高さよりも高く定めている。
【００１９】
リンク部材１５の丸棒１５ａの略中央部で、基台１１の穴１１ｂの中心の略上方には、Ｕ字状の押さえ部材１７が、支持軸１８により揺動自在に釣支されている。押さえ部材１７の底面１７ａは、平らで給水ポンプ３のペタル３２の上面３２ｃに当接可能な形状である。また、丸棒１５ａの他端の端面から正面視右方向に水平に伸びる角筒状の連結部１５ｃが設けられている。また、連結部１５ｃの右端の上向きの面からは、丸棒状の操作レバー１０が上方に伸びている。操作レバー１０の上端は、正面視手前方向に湾曲し、先端には樹脂製のグリップ１０ａが被嵌されている。また、支柱１２の上面から基台１１の正面視手前までの部分は、板状のカバー１３で覆われている。尚、ポンプ補助装置３の各部は、特に指定しない限りステンレス等の金属製であるが、強度が確保されるのであれば樹脂であってもかまわない。
【００２０】
次に、ポンプ補助装置５を給水ポンプ３に設置する方法を説明する。まず、ポンプ補助装置５の基台１１の穴１１ｂに給水ポンプ３のペタル３２が収まるように、ポンプ補助装置５を給水ポンプ３のカバー３１に載置する。このとき、ポンプ補助装置５の押さえ部材１７の底面１７ａと、ペタル３１の上面３２ｃとが面するようになる。次に、ポンプ補助装置５のリンク部材１５の丸棒１５ａと便器２とが平行で、操作レバー１０の上端が仮設トイレ１の正面視手前側に向くように、ポンプ補助装置５自体を、給水ポンプ３のカバー３１上で回転させる。この位置で、給水ポンプ３のカバー３１を止めるねじの位置と、基台１１のねじ穴１１ａの位置とが一致するため、基台１１の上からカバー３１に向けてねじを螺合し、ポンプ補助装置５を給水ポンプ３に固定する。
【００２１】
次に、ポンプ補助装置５の使用方法及び動作を説明する。まず、操作者が便器２に腰を下ろして用便をする。このとき、便は、便器２の内底に設けられたフラッパー２ａに乗ると同時に便の自重でフラッパー２ａが下方向に押し下げられて、便器２の下方に設けられた便漕に落下する。操作者は、用便が済んだ後、便器２に腰を下ろした状態のまま、ポンプ補助装置５の操作レバー１０を、操作者からみて前方に押し倒す。
【００２２】
操作者が操作レバー１０を揺動させる前は、図５に示す状態で、給水ポンプ３のペタル３２の付勢力でポンプ補助装置５の押さえ部材１７を介して操作レバー１０が押し上げられた状態になっている。このとき、給水ポンプ３では、蛇腹３５内に水が蓄えられた状態になっている。
【００２３】
操作者が操作レバー１０を押し倒すと、図６に示すように、連結部１５ｃを介してリンク部材１５が、回転軸１６を支点に下方向に揺動する。リンク部材１５が下方向に揺動すると、リンク部材１５に釣止された押さえ部材１７が押し下げられる。押さえ部材１７の底面１７ａには給水ポンプ３のペタル３２の上面３２ｃが当接し、ペタル３２もポンプケース７の中に押し込まれる。押し込まれたペタル３２の係止部３２ｂが、スプリング３６の付勢力に抗して蛇腹３５を圧縮していく。蛇腹３５が縮むことで蛇腹３５内の水が、吐出弁３９を押し開けて、吐出口３４から吐き出される。吐き出された水は、図示しないホースを通って便器２に送られ、便器２内の洗浄を行う。
【００２４】
次に、操作者が操作レバー１０から手を離したり手の力を抜くと、押さえ部材１７を押し下げる力よりペタル３２の付勢力が勝り、図５に示すように、スプリング３６が伸長してペタル３２を押し上げていく。これと同時に蛇腹３５が伸ばされて蛇腹３５内の圧力が下がり、給水弁３３が開いて蛇腹３５内に給水される。給水口３３は、図示しないホースで水が蓄えられたタンクに接続されている。
【００２５】
以上のように、ポンプ補助装置５のリンク部材１５は、揺動自在に横設されると共に丸棒１５ａに釣支された押さえ部材１７がペタル３２の上面に当接する構造となっており、回転軸１６が支点、押さえ部材１７が作用点、操作レバー１０が力点となるテコを構成している。このため、操作者が便器２に腰を下ろしているか否かにかかわらず、テコの原理で操作レバー１０を軽い力で操作しただけでもペタル３２を押し込むことができ、便器２に十分な水を送水することが可能である。
【００２６】
また、操作レバー１０が用便状態で操作可能な高さに伸びることから、便器２に腰を下ろした状態で便器２への送水が可能である。このため、便器２の洗浄中も腰を掛けた状態で居られることから、お年寄りや体の不自由な人の体への負担を軽減することができる。
【００２７】
さらに、押し下げられたペタル３２の付勢力で押さえ部材１７を押し上げると共に、押さえ部材１７を介してリンク部材１５を上方向に揺動させることから、送水後にポンプ補助装置５を操作することなく送水可能な状態になり、取り扱いが容易である。
【００２８】
さらに、ポンプ補助装置５を給水ポンプ３のカバー３１に載置した後、基台１１のねじ穴１１ａを介してねじ止めするのみで使用可能な状態となることから、取り付けが容易であると共に、既存の仮設トイレに後付け可能である。
【実施例２】
【００２９】
図７は、本発明の第２の実施例のポンプ補助装置を示す右側面図である。図８は、同ポンプ補助装置を示す平面図である。
【００３０】
本実施例のポンプ補助装置６は、支柱２２を備える基台２１、丸棒２５ａを横設して支持部２５ｂを介して揺動自在に支柱２２に支持された丸棒２５ａからなるリンク部材２５とを備えている点で実施例１のポンプ補助装置５と同様である。構造上異なる点のみ説明すると、ポンプ補助装置５ではリンク部材１５の連結部１５ｃに操作レバー１０が設けられているが、ポンプ補助装置６では操作レバー１０は設けられていない。そして、連結部１５の形状は同じであるが、ポンプ補助装置６では、足裏を載置可能な足踏部２５ｃとなっている。
【００３１】
次に、ポンプ補助装置６を給水ポンプ３に設置する方法を説明する。まず、ポンプ補助装置６の基台２１の穴２１ｂに給水ポンプ３のペタル３２が収まるように、ポンプ補助装置６を給水ポンプ３のカバー３１に載置する。このとき、ポンプ補助装置６の押さえ部材２７の底面２７ａと、ペタル３１の上面３２ｃとが面するようにする。この状態で、給水ポンプ３のカバー３１を止めるねじの位置と、基台２１のねじ穴２１ａの位置とをあわせて、基台２１の上からカバー３１に向けてねじを螺合し、ポンプ補助装置６を給水ポンプ３に固定する。
【００３２】
次に、ポンプ補助装置６の使用方法及び動作を説明する。まず、操作者が便器２に腰を下ろして用便をする。このとき、便は、便器２の内底に設けられたフラッパー２ａに乗ると同時に便の自重でフラッパー２ａが下方向に押し下げられて、便器２の下方に設けられた便漕に落下する。操作者は、用便が済んだ後、立ち上がってポンプ補助装置６の足踏部２５ｃを足で踏み込む。操作者が足踏部２５ｃを踏み込むことにより、実施例１のポンプ補助装置５と同様に押さえ部材２７がペタル３２を押し下げて便器２に送水される。
【００３３】
次に、操作者が足踏部２５ｃから足を離したり足の力を抜くと、押さえ部材２７を押し下げる力よりペタル３２の付勢力が勝り、スプリング３６が伸長してペタル３２を押し上げていく。これと同時に蛇腹３５が伸ばされて蛇腹３５内の圧力が下がり、給水弁３３が開いて蛇腹３５内に給水される。
【００３４】
以上のように、ポンプ補助装置６は、ポンプ補助装置５と同様に、リンク部材２５がテコを構成しているため、テコの原理で、足踏部２５ｃを軽い力で踏み込んだだけでもペタル３２を押し込むことができ、便器２に十分な水を送水することが可能である。
【００３５】
また、リンク部材２５の他端に、足裏を載置可能な足踏部２５ｃを備えることから、足の力をより多くリンク部材に伝え確実に送水を行うことができる。尚、足踏部２５ｃは板状で足裏を確実に載置できる形状であってもよいが、本実施例のように角柱とすることで、足裏を確実に載置可能でありながら簡易な構造であることから、ポンプ補助装置６のコストを抑えることが可能である。また、角柱であることから、足が滑りにくいという利点もある。
【産業上の利用可能性】
【００３６】
本発明は、軽い力で仮設トイレの給水ポンプのペタルを押し込むことができ、便器に十分な水を送水することが可能で、給水ポンプの操作を補助する装置として有効である。
【図面の簡単な説明】
【００３７】
【図１】本発明の第１の実施例のポンプ補助装置の使用例を示す説明図である。
【図２】同ポンプ補助装置を示す右側面図である。
【図３】同ポンプ補助装置を示す平面図である。
【図４】同ポンプ補助装置を示す正面である。
【図５】同ポンプ補助装置の動作を示す説明図である。
【図６】同ポンプ補助装置の動作を示す説明図である。
【図７】本発明の第２の実施例のポンプ補助装置を示す右側面図である。
【図８】同ポンプ補助装置を示す平面図である。
【符号の説明】
【００３８】
１・・・・・・・仮設トイレ
２・・・・・・・便器
３・・・・・・・給水ポンプ
５，６・・・・・ポンプ補助装置
１０・・・・・・操作レバー
１１，２１・・・基台
１２，２２・・・支柱
１５，２５・・・リンク部材
１７，２７・・・押さえ部材
３０・・・・・・ポンプ本体
３２・・・・・・ペタル
３５・・・・・・蛇腹
３６・・・・・・スプリング
【図１】
2006009385.tif 000003
【図２】
2006009385.tif 000004
【図３】
2006009385.tif 000005
【図４】
2006009385.tif 000006
【図５】
2006009385.tif 000007
【図６】
2006009385.tif 000008
【図７】
2006009385.tif 000009
【図８】
2006009385.tif 000010